(57)【要約】      （修正有）【課題】地上デジタル放送信号の各チャンネル帯域におけるレベル傾斜等の歪みを除去して出力する。【解決手段】チャンネルレベルコントロールユニット２は、受信した地上デジタル放送信号を分岐した後、チャンネルレベルコントローラ２ａ〜２ｎで放送チャンネル毎に規定レベルに調整した放送チャンネル信号として出力し、出力した各放送チャンネル信号を混合器３０で混合する。チャンネルレベルコントローラ２ａは、バンドパスフィルタ１６で分離した特定の放送チャンネル信号を混合器１８で中間周波数信号にダウンコンバートした後、中間周波数信号をチルト回路２４ａ、２４ｂでレベルの傾きを平坦に補正すると共にＳＡＷフィルタ２５で不要成分を除去して混合器２６で元の放送チャンネル信号の周波数にアップコンバートし、更に放送チャンネル信号をレベル調整器２８で規定レベルにレベル調整した後、バンドパスフィルタ２９を通して混合器３０に出力する。【選択図】図２
2010226757.tif 000002
【特許請求の範囲】
【請求項１】
アンテナで受信した地上デジタル放送信号を分岐器により複数のチャンネルレベルコントローラに分岐し、前記複数のチャンネルレベルコントローラは分岐された地上デジタル放送信号から分離した特定の放送チャンネル信号を規定レベルに調整した後に混合器で混合して共同受信施設に出力するチャンネルレベルコントロールユニットに於いて、
前記複数のチャンネルレベルコントローラの各々は、
前記分岐器で分岐された地上デジタル放送信号から特定の放送チャンネル信号を分離するバンドパスフィルタと、
前記バンドパスフィルタで分離した放送チャンネル信号に対応した固有周波数のチャンネル設定信号を発振する発振器と、
前記バンドパスフィルタで分離された特定の放送チャンネル信号を前記発振器からのチャンネル設定信号によって全てのチャンネルレベルコントローラで同一周波数となる中間周波数信号にダウンコンバートする第１周波数変換器と、
前記第１周波数変換器からの中間周波数信号からチャンネル帯域外の不要成分を除去するＳＡＷフィルタと、
前記ＳＡＷフィルタからの中間周波数信号を前記発振器からの前記チャンネル設定信号によって元の放送チャンネル信号の周波数にアップコンバートする第２周波数変換器と、
前記第２周波数変換器からの放送チャンネル信号を規定レベルにレベル調整した後にバンドパスフィルタを通して前記混合器に出力するレベル調整器と、
前記第１周波数変換器と第２周波数変換器の間に設けられ、前記中間周波数信号のチャンネル周波数帯域におけるレベルの傾きを平坦に補正するチルト回路と、
を備え、
前記チルト回路は、
周波数の増加に応じてレベルが増加する傾斜特性を平坦に補正する第１チルト回路と、
周波数の増加に対しレベルが低下する傾斜特性を平坦に補正する第２チルト回路と、
を備えたことを特徴とするチャンネルレベルコントロールユニット。
【請求項２】
請求項１記載のチャンネルレベルコントロールユニットに於いて、前記チャンネルレベルコントローラは、前記第１チルト回路と第２チルト回路を前記ＳＡＷフィルタの前段と後段に分けて設けたことを特徴とするチャンネルレベルコントロールユニット。
【請求項３】
請求項１記載のチャンネルレベルコントロールユニットに於いて、前記チャンネルレベルコントローラは、前記第１チルト回路と第２チルト回路を前記ＳＡＷフィルタの前段に設けたことを特徴とするチャンネルレベルコントロールユニット。
【請求項４】
請求項１記載のチャンネルレベルコントロールユニットに於いて、前記チャンネルレベルコントローラは、前記第１チルト回路と第２チルト回路を前記ＳＡＷフィルタの後段に設けたことを特徴とするチャンネルレベルコントロールユニット。
【発明の詳細な説明】
【技術分野】
【０００１】
本発明は、アンテナで受信した地上デジタル放送信号を放送チャンネル毎に規定レベルに調整して集合住宅等の共同受信施設に送出するチャンネルレベルコントロールユニットに関する。
【背景技術】
【０００２】
２００３年１２月から東京、大阪、名古屋の三大都市圏での地上デジタル放送に伴い集合住宅等の共同受信施設にあっても、専用ＵＨＦアンテナを設置して地上デジタル放送を受信し、既存の地上アナログ放送信号及びＢＳ・ＣＳ放送信号と混合して配信するようにしている。
【０００３】
図９（Ａ）は地上デジタル放送の送信点における周波数割当であり、東京圏の地上デジタル放送を例にとって５１２ＭＨｚから５６６ＭＨｚの９チャンネル分となる２０チャンネルから２８チャンネルを示している。
【０００４】
このような地上デジタル放送を集合住宅等の共同受信施設で受信した場合、ビル反射等に起因したマルチパス等の影響により、図９（Ｂ）のように、周波数方向で受信レベルが波打って歪み、各チャンネル間でレベル差が生ずる。
【０００５】
このためＵＨＦアンテナで受信した地上デジタル放送信号におけるチャンネル間のレベル差を調整するため、アンテナからの信号ラインにチャンネルレベルコントローラとしてのヘッドエンド装置を設けている。ヘッドエンド装置は、地上デジタル放送信号における各チャンネルの信号を個々にフィルタで抜き出し、不要な信号を除去して規定レベルに調整した後、再度出力する。
【０００６】
ヘッドエンド装置におけるレベル調整は、各チャンネル毎に信号レベルを測定し、測定した信号レベルが規定レベルとなるように制御を行っている。
【先行技術文献】
【特許文献】
【０００７】
【特許文献１】特開２００３−３０９７３９号公報
【発明の概要】
【発明が解決しようとする課題】
【０００８】
しかしながら、従来のチャンネルレベルコントローラにおける制御は、各チャンネル帯域についてチャンネル帯域全体を平均化したレベルをベースとしており、各チャンネルの信号レベルが平坦でないという問題がある。
【０００９】
図１０（Ａ）は５．６ＭＨｚのチャンネル帯域の信号レベルがフラットな場合であり、チャンネル帯域全体を平均化して得られた信号レベルは、チャンネル帯域の信号レベルに一致している。しかし、図１０（Ｂ）のように、チャンネル帯域で信号レベルが歪んで斜めに変化している場合には、チャンネル帯域全体を平均化して得られた信号レベルは、チャンネル帯域の信号レベルを正確に表していない。
【００１０】
このため図９（Ｂ）のように信号レベルが周波数方向で波打ったアンテナ受信点で各チャンネルの平均化レベルをベースに規定レベルに調整すると、図９（Ｃ）のように、各チャンネル帯域における信号レベルの周波数方向の傾きをそのままにして平均化レベルにレベル差がないように調整され、レベル調整後の各チャンネル信号に周波数方向の歪みがそのまま残っている。
【００１１】
このため図９（Ｃ）のようにレベル調整された地上デジタル放送信号を伝送用アンプを使用して増幅した場合、信号が傾斜しているためにチャンネル内の高いレベルの部分では信号が過入力により歪み、低いレベルの部分ではノイズの影響を受け易くなり、住戸側で受信障害等の問題が発生する恐れがある。
【００１２】
本発明は、地上デジタル放送信号の各チャンネル帯域におけるレベル傾斜等の歪みを除去して出力するチャンネルレベルコントロールユニットを提供することを目的とする。
【課題を解決するための手段】
【００１３】
この目的を達成するため本発明は次のように構成する。
【００１４】
本発明は、アンテナで受信した地上デジタル放送信号を分岐器により複数のチャンネルレベルコントローラに分岐し、複数のチャンネルレベルコントローラは分岐された地上デジタル放送信号から分離した特定の放送チャンネル信号を規定レベルに調整した後に混合器で混合して共同受信施設に出力するチャンネルレベルコントロールユニットを対象とする。
【００１５】
このような地上デジタル放送用のチャンネルレベルコントロールユニットにおいて、複数のチャンネルレベルコントローラの各々は、
分岐器で分岐された地上デジタル放送信号から特定の放送チャンネル信号を分離するバンドパスフィルタと、
バンドパスフィルタで分離した放送チャンネル信号に対応した固有周波数のチャンネル設定信号を発振する発振器と、
バンドパスフィルタで分離された特定の放送チャンネル信号を発振器からのチャンネル設定信号によって全てのチャンネルレベルコントローラで同一周波数となる中間周波数信号にダウンコンバートする第１周波数変換器と、
第１周波数変換器からの中間周波数信号からチャンネル帯域外の不要成分を除去するＳＡＷフィルタと、
ＳＡＷフィルタからの中間周波数信号を発振器からのチャンネル設定信号によって元の放送チャンネル信号の周波数にアップコンバートする第２周波数変換器と、
第２周波数変換器からの放送チャンネル信号を規定レベルにレベル調整した後にバンドパスフィルタを通して混合器に出力するレベル調整器と、
第１周波数変換器と第２周波数変換器の間に設けられ、中間周波数信号のチャンネル周波数帯域におけるレベルの傾きを平坦に補正するチルト回路とを備え、
チルト回路は、
周波数の増加に応じてレベルが増加する傾斜特性を平坦に補正する第１チルト回路と、
周波数の増加に対しレベルが低下する傾斜特性を平坦に補正する第２チルト回路とを備えたことを特徴とする。
【００１６】
ここで、第１チルト回路と第２チルト回路をＳＡＷフィルタの前段と後段に分けて設ける。あるいは、第１チルト回路と第２チルト回路をＳＡＷフィルタの前段に設けてもよいし、ＳＡＷフィルタの後段に設けても良い。
【発明の効果】
【００１７】
本発明のチャンネルレベルコントロールユニットによれば、チャンネルレベルコントローラにチルト回路を設けたことで、チャンネル帯域で生じている信号レベルの傾きを平坦に補正して出力することができ、信号レベルが平坦に補正された後の出力レベルを測定することで、チャンネル帯域全体のレベルを平均化した測定レベルが信号レベルを正確に表すこととなり、各チャンネルにつき測定レベルを規定レベルに合わせるようにレベル調整することで、チャンネル間のレベル差をなくした適切な調整出力を得ることでき、チャンネル帯域で信号レベルの高い部分と低い部分を残したまま伝送用アンプを通過させた時の信号歪みの発生とノイズの影響を受けるといった問題を解消することができる。
【００１８】
また高周波信号のままチルト回路で傾き補正する場合にはチャンネル毎に異なる周波数のチルト回路を設計する大変さがあるが、本発明にあっては、中間周波数に変換した部分にチルト回路を設けたことで、チャンネルが異なっても同一周波数のためチルト回路の回路設計が容易にできる。
【００１９】
更に、チャンネル帯域での右上りの傾きを補正するチルト回路と左上りの傾きを補正するチルト回路の２つを設けることで、チャンネル帯域でのレベルの歪みが右上がりでも左上がりでも適切に対応できる。
【図面の簡単な説明】
【００２０】
【図１】本発明のチャンネルレベルコントローラが設置される共同受信設備の説明図
【図２】本発明のチャンネルレベルコントローラの実施形態を示した回路ブロック図
【図３】図２のチルト回路の実施形態を示した回路図
【図４】図２のチルト回路による左上りスロープ補正の説明図
【図５】図２のチルト回路による右上りスロープ補正の説明図
【図６】地上デジタル放送の送信点、アンテナ受信点及び本発明のチャンネルレベルコントローラの出力を示した特性図
【図７】本発明によるチャンネルレベルコントローラの他の実施形態を示した回路ブロック図
【図８】本発明によるチャンネルレベルコントローラの他の実施形態を示した回路ブロック図
【図９】地上デジタル放送の送信点、アンテナ受信点及び従来のチャンネルレベルコントローラの出力を示した特性図
【図１０】従来のチャンネルレベルコントローラにおけるチャンネル帯域のレベル測定の説明図
【発明を実施するための形態】
【００２１】
図１は本発明のチャンネルレベルコントローラが設置される集合住宅などの共同受信設備の説明図である。図１において、集合住宅などの共同受信設備には、地上デジタル放送を受信するための専用のＵＨＦアンテナ１が設置されてあり、ＵＨＦアンテナ１のアンテナ受信信号をチャンネルレベルコントロールユニット２に入力しレベル調整を行なっている。
【００２２】
チャンネルレベルコントロールユニット２には共同受信設備で受信対象としている地上デジタル放送の各チャンネル毎に、後の説明で明らかにするように本発明のチャンネルレベルコントローラを設けており、地上デジタル放送信号における各チャンネルの信号を個々にフィルタで抜き出し、不要な信号の除去、本発明によるフィルタ回路によるスロープ補正（傾斜補正）さらにレベル調整を行なった後に混合して出力しているようにしている。
【００２３】
地上デジタル放送専用のＵＨＦアンテナ１に加え共同受信設備にあっては既存の地上アナログ放送を受信するＶＨＦ（Ｌｏ）アンテナ３、ＶＨＦ（Ｈｉ）アンテナ４、ＵＨＦアンテナ５に加え、ＢＳ・ＣＳアンテナ６を設けている。
【００２４】
地上デジタル放送のＵＨＦアンテナ１からの信号はチャンネルレベルコントロールユニット２を通過し、アンテナレベルコントローラ８でＵＨＦアンテナ５からの地上アナログ放送信号とレベル調整された後に混合され、混合器９ｂに出力される。またＶＨＦ（Ｌｏ）アンテナ３及びＶＨＦ（Ｈｉ）アンテナ４からの信号は混合器９ａで混合された後、チャンネルレベルコントローラ１０でレベル調整された後、混合器９ｂでＵＨＦ側の信号と混合される。さらにＢＳ・ＣＳアンテナ６からの信号は混合器９ｃで混合器９ｂからの信号と混合される。
【００２５】
混合器９ｃの出力は増幅器１０ａで増幅された後、共同受信設備の住戸側に伝送される。この住戸側の系統には分岐器１１１ａ、１１１ｂ、分配器１１ａ〜１１ｄ及び増幅器１０ｂが設置されている。分配器１１ｃの分配端子の一方につき各住戸の設備を示しており、各住戸にあっては分配器１１ｄの分配出力をテレビ端子１２に接続した後、テレビ端子１２から地上・ＢＳ・ＣＳデジタルチューナー１３に接続すると共にテレビ１４に接続している。地上・ＢＳ・ＣＳデジタルチューナー１３の出力はテレビ１４に接続する。
【００２６】
図２は本発明のチャンネルレベルコントローラの実施形態を示した回路ブロック図であり、図１に示したチャンネルレベルコントロールユニット２に配置されたチャンネルレベルコントローラ２ａ、２ｂ、２ｃ・・・２ｎを例にとり、このうちチャンネルレベルコントローラ２ａについてその回路構成を示している。
【００２７】
図２のチャンネルレベルコントロールユニット２にあっては地上デジタル放送を受信したＵＨＦアンテナ１からの信号を分岐器１５によりチャンネルレベルコントローラ２ａ〜２ｎに分岐している。チャンネルレベルコントローラ２ａは例えば図６（Ａ）に示している２１チャンネル用に設けられており、５１８〜５２４ＭＨｚのチャンネル帯域の信号をバンドパスフィルタ１６で分離し、増幅器１７に入力している。
【００２８】
増幅器１７の出力は第１周波数変換器として機能する混合器１８に入力される。混合器１８に対しては局部発振器２２より局部発振周波数の局発信号が入力されている。増幅器１７から混合器１８に入力する信号の周波数をｆ１、局部発振器２２から入力する信号の周波数をｆ２とすると混合器１８は２つの信号の周波数差
Δｆ＝ｆ２−ｆ１
となる出力を生ずる。
【００２９】
ここで混合器１８の周波数Δｆはテレビ放送信号における中間周波数５６．８５７ＭＨｚとしている。チャンネルレベルコントローラ２ａが図６に示した２１チャンネル用の場合、変調周波数は約５２１．１４３ＭＨｚとなる。
【００３０】
混合器１８に増幅器１７から入力する２１チャンネルの変調周波数をｆ１＝５２１．１４３ＭＨｚとし、混合器１８の出力となる中間周波数Δｆ＝５６．８５７ＭＨｚとすると、この場合の局部発振器２２からの局発周波数はｆ２＝５７８ＭＨｚとなる。
【００３１】
局部発振器２２の局発周波数ｆ２はチャンネルスイッチ１９によるチャンネル選択で設定される。即ちチャンネルスイッチ１９により２１チャンネルを選択するとこのチャンネル設定信号をＣＰＵ２０が判断し、ＰＬＬ２１に対する分集器の設定で局部発振器２２より局発周波数ｆ２＝５７８ＭＨｚを発振させることになる。
【００３２】
混合器１８から出力された５６．８５７ＭＨｚの中間周波数信号はチルト回路２４ａ、ＳＡＷフィルタ２５及びチルト回路２４ｂを順次接続した中間周波数処理回路部に与えられる。チャンネルレベルコントローラ２ａにあっては例えば２１チャンネルのチャンネル信号を中間周波数信号にダウンコンバートした後にＳＡＷフィルタ２５の急峻なカットオフ特性を利用して５．６ＭＨｚのチャンネル帯域以外の不要成分を除去し、隣接チャンネルからの不要信号によるチャンネル妨害を除去するようにしている。
【００３３】
このような急峻なカットオフ特性を持つＳＡＷフィルタ２５としてはＵＨＦ帯となる５００ＭＨｚオーダーのレベルでは十分な特性のものが実現困難なことであることから、ＳＡＷフィルタとして適切な使用周波数帯である中間周波数５６．８５７ＭＨｚにダウンコンバートした後にＳＡＷフィルタ２５による不要待機の信号成分の急峻なカットオフ特性による除去を実現している。
【００３４】
ＳＡＷフィルタ２５の前段には第１チルト回路としてチルト回路２４ａが設けられ、また後段には第２チルト回路としてチルト回路２４ｂが設けられている。チルト回路２４ａ、２４ｂは図３に示す回路構成を備えている。
【００３５】
図３はチルト回路２４ａの回路図であり、入力端子３１と出力端子３２の間にコンデンサＣ１と抵抗Ｒ１を並列接続するとともに、アース側との間に抵抗Ｒ２、可変抵抗ＶＲ、インダクタンスＬ１及びコンデンサＣ２による梯子型回路を接続している。このようなチルト回路２４ａにあっては可変抵抗ＶＲの抵抗値を変化させることで５．６ＭＨｚのチャンネル帯域におけるスロープ特性（傾斜特性）を調整することができる。
【００３６】
再び図２を参照するに、チルト回路２４ｂに続いては第２周波数変換器として機能する混合器２６が設けられ、チルト回路２４ｂからの中間周波信号を局部発振器２２からの局部発振信号によりアップコンバードして元のチャンネル帯域の信号に変換して出力する。即ち、局部発振器２２からの局発周波数をｆ２、チルト回路２４ｂからの中間周波数をΔｆとすると、混合器２６の出力信号の周波数ｆ１を
ｆ１＝ｆ２−Δｆ
とする周波数変換、即ち周波数のアップコンバードを行なう。
【００３７】
混合器２６により中間周波数信号から元の周波数に戻された信号は増幅器２７で増幅した後、レベル調整器２８を通り、さらに２１チャンネルの通過帯域を持つバントパスフィルタ２９を通って混合器３０に出力され、他のチャンネルレベルコントローラ２ｂ〜２ｎからの信号と混合されて出力される。
【００３８】
尚、図２に示すチャンネルレベルコントローラ２ａの局部発振器２２は１つの局部発振器で構成しているが、入力チャンネルと出力チャンネルを別にするため、局部発振器を２つで構成しても良い。
【００３９】
図４は図２のＳＡＷフィルタ２５の前段に設けたチルト回路２４ａによるスロープ補正の説明図である。いま図４（Ａ）のように中間周波数に変換された５．６ＭＨｚ帯域のチャンネル信号について、低周波側でレベルが高く高周波側でレベルが低い左上がりのスロープ特性となるレベル変動の歪みを持っていた場合には、図３に示したチルト回路２４ａにおける可変抵抗ＶＲの調整により図４（Ｂ）のようにレベルの高い低周波側を下げるように調整することでスロープ特性を平坦な特性に調整できる。
【００４０】
図５は図２のＳＡＷフィルタ２５の後段に設けているチルト回路２４ｂによるスロープ補正の説明図であり、この場合には図５（Ａ）のように中間周波数の５．６ＭＨｚ帯域で高周波側が高く低周波側が低くなる右上がりのスロープ特性を持つレベル歪みを持っていたとすると、図３と同様な回路構成を持つチルト回路２４ｂにつき、その可変抵抗ＶＲを、図４の左上がりのスロープ補正の場合とは逆方向に調整することで高周波側のレベルを下げ、図５（Ｂ）のような平坦な特性に補正する。
【００４１】
図２のチャンネルレベルコントローラ２ａにあっては、まず図４、図５に示したようにチルト回路２４ａ、２４ｂによりチャンネル帯域におけるスロープ補正によりレベルをフラットに調整する。チルト回路２４ａ、２４ｂにおける調整の際にはチャンネルレベルコントローラ２ａのバンドパスフィルタ２９からの出力端子をオシオスコープに接続してチャンネル帯域の波形を観測しながらチルト回路２４ａ、２４ｂのいずれか一方もしくは両方の可変抵抗ＶＲを調整しながらフラットなチャンネル帯域のレベル特性を得るようにする。
【００４２】
チルト回路２４ａ、２４ｂによりチャンネル帯域でフラットとするスロープ調整が済んだならば、混合器３０の出力端子にレベル測定器またはスペクトラムアナライザーを接続してレベルを測定する。
【００４３】
レベル測定器によるレベル測定はチャンネル帯域全体における各レベルの平均化したレベルが測定結果として得られるが、本発明にあってはレベル測定に先立ちチルト回路２４ａ、２４ｂの調整によってチャンネル帯域におけるレベルをフラットに調整しているため、レベル測定器による平均レベルの測定結果は正確にチャンネル帯域における信号レベルを表している。レベル測定器によるレベル測定ができたならば、測定レベルが予め定めた規定レベルとなるように図２のレベル調整器２８を調整する。
【００４４】
図２のチャンネルレベルコントローラ２ａの調整が出来たならば、残りのチャンネルレベルコントローラ２ｂ〜２ｎについても同様にしてチルト回路によるチャンネル帯域のレベルをフラットとする補正とその後のレベル測定により規定レベルへのレベル調整を行なう。
【００４５】
このようなチャンネルレベルコントローラ２ａ〜２ｎについてチルト回路の調整及びレベル測定器によるレベル測定が済んだ状態にあっては、混合器３０から出力される各チャンネルの信号は信号レベルが同一でレベル差がなく、更に、それぞれのチャンネル帯域で信号レベルがフラットとなっている。
【００４６】
即ち、図６（Ａ）のように送信点から送られた例えば２０チャンネルから２８チャンネルの地上デジタル放送信号につき伝搬経路におけるビル反射等のマルチパス等により図６（Ｂ）のように周波数方向で信号レベルが波打つ歪みを生じていたとしても、図２に示した本発明のチャンネルレベルコントローラ２ａ〜２ｎのそれぞれを通してチャンネル帯域について周波数方向の傾斜を持つレベル歪みをフラットにする補正及びフラットなレベルに調整した後の一定レベルに揃えるレベル調整を行なった結果、チャンネルレベルコントローラユニット２からの出力信号は２０チャンネル〜２８チャンネルにつき各チャンネル帯域でレベルがフラットで且つレベル差のない図６（Ｃ）に示す受信信号を再現して共同受信設備に送出することができる。
【００４７】
ここで図２のチャンネルレベルコントローラ２ｂ〜２ｎのチャンネルレベルコントローラ２ａに対する相違は、それぞれチャンネル周波数が相違することから局部発振器２２から出力する局部発振周波数が各チャンネル固有の周波数となっているが、チルト回路２４ａ、２４ｂ及びＳＡＷフィルタ２５における処理信号の周波数は、全て同じ中間周波数５６．８５７ＭＨｚとなっている。
【００４８】
このため対象チャンネルが相違してもチャンネルレベルコントローラ２ａ〜２ｎにおける中間周波数信号を行なうチルト回路２４ａ、２４ｂとしては同じ回路を使用することができ、チルト回路２４ａ、２４ｂの回路設計が極めて容易にできる。
【００４９】
図７は本発明によるチャンネルレベルコントローラの他の実施形態を示した回路ブロック図であり、２１チャンネル用のチャンネルレベルコントローラ２ａを例にとっている。この実施形態にあってはＳＡＷフィルタ２５の前段にチルト回路２４ａ、２４ｂを設けたことを特徴とする。
【００５０】
このようにＳＡＷフィルタ２５の前段に２つのチルト回路２４ａ、２４ｂを移したとしても、それぞれ右上がりと左上がりの異なった特性の調整に使用することから、チルト回路２４ａ、２４ｂにおける図４及び図５に示したスロープ補正機能は図２の実施形態と同等に得られる。
【００５１】
図８は本発明におけるチャンネルレベルコントローラ２ａの他の実施形態であり、この実施形態にあってはＳＡＷフィルタ２５の後段に２つのチルト回路２４ａ、２４ｂを設けたことを特徴としており、この場合にも図４及び図５に示した左上がりと右上がりのスロープ調整によりチャンネル帯域での傾きを持つレベルの歪みをフラットに補正することができる。
【００５２】
尚、上記の実施形態は東京圏における地上デジタル放送のチャンネル割当てを例にとるものであったが、これから始まる全国の各地域についてもそれぞれ固有のチャンネル割当てに対応して各チャンネル毎に本発明のチャンネルレベルコントローラをそのまま適用することができる。
【００５３】
また本発明は上記の実施形態に限定されず、その目的と利点を損なうことのない適宜の変形を含み、さらに上記の実施形態に示した数値による限定は受けない。
【符号の説明】
【００５４】
１：ＵＨＦアンテナ
２：チャンネルレベルコントロールユニット
２ａ〜２ｎ：チャンネルレベルコントローラ
１５：分岐器
１６、２９：バンドパスフィルタ
１７、２７：増幅器
１８：混合器（第１周波数変換器）
１９：チャンネルＳＷ
２０：ＣＰＵ
２１：ＰＬＬ
２２：局部発振器
２４ａ、２４ｂ：チルト回路
２５：ＳＡＷフィルタ
２６：混合器（第２周波数変換器）
２８：レベル調整器
３０：混合器
【図１】
2010226757.tif 000003
【図２】
2010226757.tif 000004
【図３】
2010226757.tif 000005
【図４】
2010226757.tif 000006
【図５】
2010226757.tif 000007
【図６】
2010226757.tif 000008
【図７】
2010226757.tif 000009
【図８】
2010226757.tif 000010
【図９】
2010226757.tif 000011
【図１０】
2010226757.tif 000012